(57)【要約】 【課題】表示装置を提供すること。【解決手段】表示装置は、光の供給を受けてイメージを表示する表示パネル、バックライトモジュール、表示パネル及びバックライトモジュールを収納する収納容器を含む。バックライトモジュールは、結合バー、光源、及び導光板を含む。結合バーは、表示パネルを支持するパネル支持部を含む上部プレート、下部プレート、上部プレートと下部プレートを接続する延長プレートを含む。光源は、上部プレート、下部プレート、延長プレートが形成する空間内に位置する。導光板は上部プレートと下部プレートとの間に位置する。  【選択図】図１
2014134761.tif 000002
【特許請求の範囲】
【請求項１】
光の供給を受けてイメージを表示する表示パネルと、
バックライトモジュールと、
前記表示パネル及び前記バックライトモジュールを収納する収納容器と、を含み、
前記バックライトモジュールは、
前記表示パネルを支持するパネル支持部を含む上部プレート、下部プレート及び前記上部プレートと下部プレートを接続する延長プレートを含む結合バーと、
前記上部プレート、前記下部プレート及び前記延長プレートが形成する空間内に位置する光源と、
前記上部プレートと下部プレートとの間に位置する導光板と、を含む表示装置。
【請求項２】
前記結合バーの前記上部プレート、前記下部プレート及び前記延長プレートは、一体で形成されることを特徴とする請求項１に記載の表示装置。
【請求項３】
前記下部プレート断面の厚さ、前記上部プレート断面の厚さ及び前記延長プレート断面の厚さのうち、少なくとも２つはそれぞれ異なる厚さを有することを特徴とする請求項２に記載の表示装置。
【請求項４】
前記下部プレートは、前記上部プレートより厚く形成されることを特徴とする請求項３に記載の表示装置。
【請求項５】
前記下部プレートは、前記上部プレートより長く延在して形成されることを特徴とする請求項２に記載の表示装置。
【請求項６】
前記結合バーは、押出式成形によって形成されることを特徴とする請求項２に記載の表示装置。
【請求項７】
前記結合バーはアルミニウムを含むことを特徴とする請求項６に記載の表示装置。
【請求項８】
前記結合バーの上部プレートは、前記表示パネルの側面と対向するガイド部をさらに含むことを特徴とする請求項１に記載の表示装置。
【請求項９】
前記ガイド部は、前記表示パネルの前記側面と接触して、前記表示パネルを前記表示装置内に固定させることを特徴とする請求項１に記載の表示装置。
【請求項１０】
前記結合バーの延長プレートと前記収納容器とを結合する側面締結部をさらに含むことを特徴とする請求項１に記載の表示装置。
【請求項１１】
前記結合バーの下部プレートには前記光源を安着する安着溝が形成されることを特徴とする請求項１に記載の表示装置。
【請求項１２】
前記上部プレート及び下部プレートと前記導光板との間に絶縁部材をさらに含むことを特徴とする請求項１に記載の表示装置。
【請求項１３】
表示パネルと導光板との間に配置される光学部材をさらに含み、
前記上部プレートは、前記光学部材を支持する光学部材支持部をさらに含み、前記光学部材は、前記光学部材支持部上に配置されて支持されることを特徴とする請求項１に記載の表示装置。
【請求項１４】
前記上部プレートは、第１支持部及び前記第１支持部から延在する第２支持部を含む支持部をさらに含み、
前記第１支持部の上面及び前記第２支持部の上面は、前記下部プレートからそれぞれ異なる高さを有することを特徴とする請求項１に記載の表示装置。
【請求項１５】
前記表示パネルは、端部に第１厚さを有し、前記端部において前記表示パネルの中心側に隣接する周辺部に第２厚さを有し、前記第２厚さは前記第１厚さより大きく、
前記第１支持部は前記端部と接触し、前記第２支持部は前記周辺部と接触して前記表示パネルを支持することを特徴とする請求項１４に記載の表示装置。
【請求項１６】
前記下部プレートは、第１部分及び前記第１部分の厚さと異なる厚さを有する第２部分を有することを特徴とする請求項１に記載の表示装置。
【請求項１７】
前記光源は、前記下部プレートの前記第２部分上に配置されることを特徴とする請求項１に記載の表示装置。
【請求項１８】
前記下部プレートは、前記上部プレートに比べて、前記延長プレートからさらに延在することを特徴とする請求項１に記載の表示装置。
【請求項１９】
前記延長プレートは、前記上部プレート及び前記下部プレートに対して垂直であることを特徴とする請求項１に記載の表示装置。
【請求項２０】
前記収納容器は、上部フレーム及び前記上部フレームと結合する下部フレームを含むことを特徴とする請求項１に記載の表示装置。
【発明の詳細な説明】
【技術分野】
【０００１】
本発明は、表示装置に関し、より詳細には薄型化が容易なバックライトモジュール及びそれを含む表示装置に関する。
【背景技術】
【０００２】
液晶表示装置は、電界によって光の透過率が異なる液晶の特性を利用してイメージを表現する。従って、液晶表示装置は、画像を表示する表示パネル及び表示パネルに光を供給するバックライトを含む。
【０００３】
液晶表示装置は下部にバックライトを、バックライトの上部に表示パネルを含む。このようなバックライトと表示パネルを固定するために上部フレーム、複数のモールド部及び下部フレームをさらに含む。
【０００４】
上部フレームと下部フレームは、表示装置を全体的に外部で固定する役割をし、実質的にバックライトと表示パネルとの間を位置固定するためには複数のモールド部が互いに結合してこれを固定する。
【０００５】
最近、このような表示装置をできるだけ薄型化して生産するのが実情である。表示装置を薄型化するために、表示モジュール及びバックライトの厚さを減少して生産する。しかし、表示モジュールの場合、厚さ減少の大きな実益がなく、バックライトの場合、構成要素の一部を薄型化して全体的な表示装置の薄型化に寄与している。
【０００６】
特に、バックライトの構成要素のうち、導光板の場合、既存の厚い厚さを確保してこそ十分な光の拡散を成し遂げることができている。しかし、徐々に技術が発展して行くにつれてその厚さが減少しているのが実情である。
【０００７】
しかし、このような導光板の厚さの減少は、逆に導光板の変形が容易になってしまうという副作用が発生させる。薄く形成できる材質であるほど、熱のような要素によって変形がより一層容易になる。
【０００８】
既存の表示装置の構造では、いくつかのモジュールが結合してこのようなバックライトを固定しているので、バックライトの変形に十分に対応できない。従って、薄型化によって変形に脆弱な厚さで形成されるバックライトの導光板を支持する構造が必要である。
【先行技術文献】
【特許文献】
【０００９】
【特許文献１】韓国特許出願公開第２０１１−０１３２８０１号明細書
【特許文献２】韓国特許出願公開第２０１１−０１１１０８７号明細書
【特許文献３】韓国特許出願公開第２０１１−０１１３９８１号明細書
【特許文献４】米国特許７，９９０，５１２号明細書
【発明の概要】
【発明が解決しようとする課題】
【００１０】
本発明は上記問題点に鑑みてなされたものであって、本発明の目的は、薄型化が容易なバックライトモジュールを提供することにある。
【００１１】
本発明の他の目的は、薄型化が容易なバックライトモジュールを含む表示装置を提供することにある。
【課題を解決するための手段】
【００１２】
上述の本発明の目的を達成するための一実施形態に係るバックライトモジュールは、結合バー、光源、及び導光板を含む。結合バーは、パネル支持部を含む上部プレート、下部プレート、上部プレートと下部プレートを接続する延長プレートを含む。光源は、延長プレート上に位置する。導光板は、上部プレートと下部プレートとの間に位置する。
【００１３】
一実施形態において、結合バーの上部プレート、下部プレート及び延長プレートは、一体で形成されてもよい。
【００１４】
一実施形態において、下部プレートは、上部プレートより長く延在してて形成されてもよい。
【００１５】
一実施形態において、下部プレートは、上部プレートより厚く形成されてもよい。
【００１６】
一実施形態において、結合バーは、押出成形によって形成されてもよい。
【００１７】
一実施形態において、結合バーは、アルミニウムを含んでもよい。
【００１８】
一実施形態において、結合バーの上部プレートは、パネルガイド部をさらに含んでもよい。
【００１９】
一実施形態において、延長プレートは、上部プレート及び下部プレートと垂直に接してもよい。
【００２０】
一実施形態において、上部プレート及び下部プレートと導光板との間に絶縁部材をさらに含んでもよい。
【００２１】
上述の本発明の他の目的を達成するための一実施形態に係る表示装置は、上部フレーム、表示パネル、バックライトモジュール、及び下部フレームを含む。表示パネルは、光の供給を受けてイメージを表示し、バックライトモジュールは表示パネルを支持するパネル支持部を含む上部プレート、下部プレート及び上部プレートと下部プレートとを接続する延長プレートを含む結合バー、延長プレート上に位置する光源、並びに、上部プレートと下部プレートとの間に位置する導光板を含む。下部フレームは上部フレームと結合する下部フレームを含む。
【００２２】
一実施形態において、結合バーの上部プレート、下部プレート及び延長プレートは、一体で形成されてもよい。
【００２３】
一実施形態において、下部プレートは、上部プレートより厚く形成されてもよい。
【００２４】
一実施形態において、下部プレートは、上部プレートより長く延在して形成されてもよい。
【００２５】
一実施形態において、結合バーは、押出成形によって形成されてもよい。
【００２６】
一実施形態において、結合バーは、アルミニウムを含んでもよい。
【００２７】
一実施形態において、結合バーの上部プレートは、上部フレームを支持するパネルガイド部をさらに含んでもよい。
【００２８】
一実施形態において、結合バーの延長プレート、上部フレーム及び下部フレームを結合する側面締結部をさらに含んでもよい。
【００２９】
一実施形態において、結合バーの下部プレートには、光源を安着できる安着溝が形成されてもよい。
【００３０】
一実施形態において、上部プレート及び下部プレートと導光板との間に絶縁部材をさらに含んでもよい。
【発明の効果】
【００３１】
このような本発明によると、表示装置の薄型化のために導光板を薄く形成しても導光板を固定する結合バーが一体で形成されているため、光源によって発生する熱による導光板の変形を防止することができる。
【００３２】
また、１つの結合バーで表示装置の様々な構成要素を支持し、固定できるため、工程を単純化し、製作費用を減少させることができる。
【００３３】
また、結合バーが押出成形によって形成されるので、結合バーの各構成部分の厚さを異ならせて製作する場合にも容易に結合バーを製作できるようになる。
【図面の簡単な説明】
【００３４】
【図１】本発明の一実施形態に係る表示装置の斜視図である。
【図２】図１の表示装置のバックライトモジュールの一部を示す斜視図である。
【図３】図２のバックライトモジュールの結合バーを示す斜視図である。
【図４】図１の表示装置を示す断面図である。
【図５】本発明の他の実施形態に係るバックライトモジュールの一部を示す断面図である。
【図６】本発明の他の実施形態に係るバックライトモジュールの一部を示す断面図である。
【図７】本発明の他の実施形態に係るバックライトモジュールの一部を示す断面図である。
【図８】本発明の他の実施形態に係る表示装置を示す断面図である。
【図９】本発明の他の実施形態に係る表示装置を示す断面図である。
【図１０】図９の表示装置のバックライトモジュールの一部を示す断面図である。
【発明を実施するための形態】
【００３５】
図１は本発明の一実施形態に係る表示装置の斜視図である。
【００３６】
図１を参照すると、本実施形態に係る表示装置１０００は、上部フレーム１００、光の供給を受けてイメージを表示する表示パネル２００、バックライトモジュール３００及び上部フレーム１００と結合する下部フレーム４００を含む。
【００３７】
バックライトモジュール３００は、結合バー３５０、導光板３６０及び光源（図示せず）を含む。結合バー３５０はバックライトモジュール３００を構成するだけでなく、上部フレーム１００と下部フレーム４００との間に位置して表示装置１０００内の各構成要素を支持し結合する役割を担当する。
【００３８】
バックライトモジュール３００は、結合バー３５０以外に、支持バー３７０をさらに含んでもよい。支持バー３７０は、表示装置１０００内で結合バー３５０が位置する反対側面に形成されてもよく、バックライトモジュールを支持する役割をする。結合バー３５０は光源を含み、光源によって生成される熱を発散する多様な役割を遂行する。一方、支持バー３７０は表示装置１０００内部の構成要素を結合する役割だけを担当する。
【００３９】
図２は、図１の表示装置のバックライトモジュールの一部を示す斜視図である。
【００４０】
図２を参照すると、バックライトモジュール３００は結合バー３５０、導光板３６０、光源３８０を含む。図１の実施形態で言及したように、支持バー（図示せず）をさらに含んでもよい。結合バー３５０は、上部プレート３５１、延長プレート３５３及び下部プレート３５４を含む。上部プレート３５１と下部プレート３５４は延長プレート３５３によって接続される。上部プレート３５１と下部プレート３５４は互いに実質的に同じ方向に延在して形成されてもよく、上部プレート３５１及び下部プレート３５４それぞれに対して垂直方向に延長プレート３５３が形成されてもよい。
【００４１】
上部プレート３５１、延長プレート３５３及び下部プレート３５４から構成される結合バー３５０は表示装置１０００の内部に形成されて上部フレーム１００及び下部フレーム４００によって形成される内部空間のうち、一側壁を支持する。
【００４２】
上部プレート３５１と下部プレート３５４との間に導光板３６０が位置する。導光板３６０は、上部プレート３５１及び下部プレート３５４によって支持され固定される。上部プレート３５１と下部プレート３５４との間に光源３８０が延長プレート３５３上に形成されて光源３８０と導光板３６０のアラインが合うように固定し支持される。光源３８０は、上部プレート３５１、下部プレート３５４及び延長プレート３５３が形成する空間内に配置されてもよい。
【００４３】
図３は図２のバックライトモジュールの結合バーを示す斜視図である。
【００４４】
図３を参照すると、本実施形態の結合バー３５０は、上部プレート３５１、延長プレート３５３及び下部プレート３５４を含む。
【００４５】
上部プレート３５１は、第１方向Ｄ１に延びる長さ及び第１方向と垂直する第２方向Ｄ２に延びる幅を有する。上部プレート３５１は、第１及び第２方向と垂直に交差する第３方向の断面の厚さを有する。
【００４６】
上部プレート３５１には表示パネルを支持するパネル支持部３５２を含む。パネル支持部３５２は、導光板３６０上に位置する表示パネルを支持し、表示パネルの非表示領域と対応する長さで形成される。また、パネル支持部３５２は上部プレート３５１と平行となる方向に延びて形成されるが、上部プレート３５１とは異なる高さで形成されて表示パネルが安着できる段差を形成する。
【００４７】
例えば、パネル支持部３５２は第１パネル支持部３５２ａ及び第１パネル支持部３５２ａから延びる第２パネル支持部３５２ｂを含んでもよい。第２パネル支持部３５２ｂの上面は、第１パネル支持部３５２ａの上面より低くてもよい。即ち、第１パネル支持部３５２ａと第２パネル支持部３５２ｂとの間の部分に段差部が形成されてもよい。第１パネル支持部３５２ａは表示パネルの隅部または端部を支持し接触する。第２パネル支持部３５２ｂは、表示パネルの周辺部を支持して接触する。周辺部は表示パネルの隅部または端部と隣接し、表示パネルの側面または端部の厚さより大きい厚さを有する。
【００４８】
上部プレート３５１は、言及した通り表示パネルの非表示領域と対応する長さで形成されるが、下部プレート３５４は上部プレート３５１に比べてより一層長い長さで形成されてもよい。下部プレート３５４は光源３８０と隣接する位置に形成されて下部フレーム４００と物理的に接触して配置されるので、光源３８０から発生する熱を発散する役割をしてもよい。本実施形態において、表示装置１０００は下部フレーム４００を含むと説明したが、表示装置１０００は下部フレーム４００なしで結合バー３５０が外部に露出されてもよい。また、結合バー３５０は下部フレーム４００と一体で形成されてもよい。
【００４９】
また、下部プレート３５４は、上部プレート３５１より厚い厚さで形成されてもよい。従って、上部プレート３５１、延長プレート３５３及び下部プレート３５４はそれぞれの必要に応じて異なる長さで形成されてもよい。
【００５０】
上部プレート３５１は、表示装置１０００の内部に位置し、導光板３６０上に位置する表示パネルを固定及び支持するので、厚い厚さで形成される場合には表示パネルの厚さに直接的な影響を与える。従って、上部プレート３５１は比較的薄い厚さで形成することができる。
【００５１】
下部プレート３５４は、光源３８０から発生する熱を発散すると同時に導光板３６０の変形を防止する役割をしてもよい。光源３８０から発生する熱は下部プレート３５４が広く形成されるほどより一層効率的を発散される。従って、下部プレート３５４は上部プレート３５１に比べてさらに広く延びて形成されてもよい。また、下部プレート３５４がとても薄く形成される場合、このような放熱効果が減少するので一定の厚さを確保しなければならない。従って、下部プレート３５４は上部プレート３５１に比べてさらに厚く形成される。
【００５２】
延長プレート３５３は上部プレート３５１及び下部プレート３５４を接続すると同時に上部フレーム１００及び下部フレーム４００で形成される表示装置１０００のフレームで内部面を支持する役割を担当する。延長プレート３５３が非常に厚く形成される場合には、表示装置１０００のベゼルが増加するので、審美的側面を鑑みて適切な厚さで形成してもよい。また、延長プレート３５３がとても薄く形成される場合には、バックライトモジュール及び上下部フレーム間の支持が問題になるので、このような力学的な面を鑑みて適切な厚さで形成してもよい。
【００５３】
結合バー３５０の上部プレート３５１は、上部フレーム１００を支持するパネルガイド部３５５をさらに含んでもよい。パネルガイド部３５５は、パネル支持部３５２で支持される表示モジュールの厚さを鑑みて表示モジュールが上部フレーム１００によって適切な高さでハウジングできるように形成される。即ち、パネルガイド部３５５は表示パネルを表示装置１０００内の適切な位置にガイドしてもよい。即ち、パネルガイド部３５５は表示装置１０００内に表示パネルを固着できる。
【００５４】
結合バー３５０の上部プレート３５１、延長プレート３５３、及び下部プレート３５４は、一体で形成されてもよい。さらに詳しくは、押出成形によって押出方式で形成されてもよい。即ち、図３に示した矢印方向に押出し形成されてもよい。結合バー３５０の矢印方向に垂直な断面が矢印方向と同一であるので、押出成形によって簡単に形成してもよい。一方、既存の内部モジュールは、複数の構成要素を結合し形成されるか、または、板状の金属を、必要な折り曲げ面で折り曲げて加工してきた。
【００５５】
複数の構成要素を結合して形成する場合には、上部プレート３５１及び下部プレート３５４に対応する構成要素が互いに独立的に動くため、導光板３６０を支持する高さが一定せず、変形する。さらには、導光板３６０が薄く形成される場合には導光板３６０の厚さが薄くなるので、熱による変形がより一層起きやすい状態となる。このように導光板３６０の厚さに対する変形が起きる場合、複数の構成要素によって結合された内部モールド材は導光板３６０の変形を防ぐことができなくなって、導光板３６０の変形を制御できなくなる。また、導光板３６０に変形が起きる場合には光源３８０とのアラインにもミスアラインが発生しやすいので、表示装置１０００の表示品質を確保することが容易ではない。
【００５６】
また、板状の金属を、必要な折り曲げ面で折り曲げて形成する場合には、板状の金属が一定の厚さだけを有することができないので、所望の形状で製作することができなくなる。従って、本実施形態においては、金属材質を押出成形して結合バー３５０を形成する。金属材質をアルミニウム系列の金属またはこれの合金を使ってもよい。
【００５７】
図４は図１の表示装置を示す断面図である。
【００５８】
図４を参照すると、本実施形態に係る表示装置１０００は、上部フレーム１００、光の供給を受けてイメージを表示する表示パネル２００、バックライトモジュール３００、及び上部フレーム１００と結合する下部フレーム４００を含む。
【００５９】
バックライトモジュール３００は、結合バー３５０、導光板３６０及び光源３８０を含む。光源３８０は光源部３８３とこれを安着する基板部３８１で形成されてもよい。結合バー３５０はバックライトモジュール３００を構成するだけでなく、上部フレーム１００及び下部フレーム４００内に位置して表示装置１０００内の各構成要素を支持し、結合する役割を担当する。
【００６０】
バックライトモジュール３００は、結合バー３５０以外に支持バー３７０をさらに含んでもよい。支持バー３７０が形成される位置と結合バー３５０が形成される位置は対称な位置関係にある。結合バー３５０及び支持バー３７０によって表示モジュールの内部に構成要素が支持され固定される。
【００６１】
付加的構成要素をさらに含んでもよいが、表示装置１０００は、大きく上部フレーム１００、下部フレーム４００、表示モジュール、及びバックライトモジュール３００だけで構成されてもよい。内部に存在していた複数のモールド部材が結合バー３５０及び支持バー３７０によって代替されるので、全体的部品の個数を減らすことができ、製造工程もまた単純化できる。また、結合バー３５０が一体化されて形成されるので、導光板３６０の厚さが薄く形成されても、熱によって導光板３６０が変形されることを防ぐことができる。つまり、結合バー３５０は一体化して形成され、従って、結合バー３５０の上部プレート３５１と下部プレート３５４との間隔が一定に維持される。従って、導光板３６０の熱による変形を防止することができ、温度が上昇しても同じ位置に同じ厚さで維持できる役割をする。
【００６２】
図５は本発明の他の実施形態に係るバックライトモジュールの一部を示す断面図である。
【００６３】
図５を参照すると、本実施形態に係るバックライトモジュールは、結合バー３５０、光源３８０、導光板３６０及び絶縁部材３５６を含む。結合バー３５０、光源３８０、及び導光板３６０に対する説明は、図４の実施形態での説明と実質的に同一であるので、重複する説明は省略する。
【００６４】
絶縁部材３５６は、バックライトモジュール内に導光板３６０と結合バー３５０が接触する部分に形成されてもよい。結合バー３５０は金属材質で形成されて、導光板３６０はプラスチック材質で形成されるので、結合バー３５０と導光板３６０が直接接触する場合、導光板３６０の表面に変形を発生させることがある。
【００６５】
また、結合バー３５０は、光源３８０と直接接触していて、また、熱伝導性の高い金属材質で形成されているので、光源３８０から発生する熱が結合バー３５０を通じて導光板３６０に伝達され易い。絶縁部材３５６は、熱を遮断できる材質から構成されて熱を遮断する役割ができる。前記絶縁部材３５６は、ゴムを含んでもよい。本実施形態では、絶縁部材３５６は結合バー３５０の下端部と導光板３６０の下端部とが接触する区間で長さが短く形成されているが、結合バー３５０の下部プレート３５４の長さと同じ長さで形成して、導光板３６０と結合バー３５０の接触を基本的に遮断するように設計してもよい。
【００６６】
図６は本発明の他の実施形態に係るバックライトモジュールの一部を示す断面図である。
【００６７】
図６を参照すると、本実施形態に係るバックライトモジュールは、結合バー３５０、光源３８０、導光板３６０、絶縁部材３５６、及び反射板３５７を含む。結合バー３５０、光源３８０、導光板３６０、及び絶縁部材３５６に対する説明は、図５の実施形態での説明と実質的に同一であるので、重複する説明は省略する。
【００６８】
反射板３５７は、導光板３６０の下部に位置して導光板３６０から下部方向に発散される光を再び上部に反射する。反射板３５７は、導光板３６０全体をカバーする広さで形成されてもよい。
【００６９】
本実施形態では、導光板３６０の下部に反射板３５７をさらに含む構造を説明したが、必要な場合、導光板３６０の上部に多様な光学シートを位置させてもよい。結合バー３５２の上部プレート３５１は、表示モジュールの非表示領域と対応するように位置するので、結合バー３５２の末端部で表示モジュールの表示領域が始まってもよく、必要な光学シートを結合バー３５２の上部プレート３５１の側面と表示パネルの下の空間に配置させてもよい。
【００７０】
必要な場合、結合バー３５３の上部プレート３５１またはパネル支持部３５２の高さを光学シートが積層されて形成する総高さと対応するように設計してもよい。従って、結合バー３５３だけでも光学シート、導光板、光源、及び表示パネルに必要な多様な構成要素を安着し、固定できるようになることがわかる。
【００７１】
図７は本発明の他の実施形態に係るバックライトモジュールの一部を示す断面図である。
【００７２】
図７を参照すると、本実施形態に係るバックライトモジュールは、結合バー３５０、光源３８０、及び導光板３６０を含む。結合バー３５０、光源３８０、及び導光板３６０に対する説明は、図５の実施形態での説明と実質的に同一であるので、重複する説明は省略する。
【００７３】
下部プレート３５４には光源３８０が安着できる安着溝３５８をさらに含んでもよい。光源３８０は光源部３８３及び光源部３８３を安着する基板部３８１を含む。光源部３８３は、発光ダイオードなどの素子を含んでもよい。基板部３８１は光源部３８３に必要な配線構造などを含む。光源部３８３に必要な配線構造の空間を確保するために基板部３８１の全体的な厚さを増加させてもよい。これに基づいて、結合バー３５０の延長プレート３５３の高さを増加させてもよいが、延長プレート３５３の高さが増加する場合には、表示パネルの全体的な厚さが増加して薄型化を構成できない。安着溝３５８が形成された部分の下部プレート３５４の厚さは、他の部分の厚さより薄い。従って、下部プレート３５４は、第１厚さ及び第１厚さと異なる第２厚さを有してもよい。下部プレート３５４を含む結合バー３５０は、金属物質を押出加工して形成してもよい。即ち、第１厚さと第２厚さを有する下部プレート３５４は、押出加工によって簡単に形成されてもよい。 
【００７４】
従って、表示パネルの薄型化を確保するために下部プレート３５４上に安着溝３５８を形成して基板部３８１が安着できるように構成する。このような場合、基板部３８１の厚さが増加しても全体的な表示パネルの厚さは増加しないように設計できる。
【００７５】
図８は、本発明の他の実施形態に係る表示装置を示す断面図である。
【００７６】
図８を参照すると、本実施形態に係る表示装置１０００は、上部フレーム１００、光の供給を受けてイメージを表示する表示パネル２００、バックライトモジュール３００、上部フレームと結合する下部フレーム４００、及び側面締結部５１０を含む。
【００７７】
バックライトモジュール３００は、結合バー３５０、導光板３６０、及び光源３８１、３８３を含む。光源は、光源部３８３とこれを安着する基板部３８１とで形成されてもよい。結合バー３５０は、バックライトモジュール３００を構成するだけでなく、上部フレーム１００及び下部フレーム４００内に位置して、表示装置１０００内の各構成要素を支持し、結合する役割を担当する。バックライトモジュール３００は、結合バー３５０以外に支持バー３７０をさらに含んでもよい。支持バー３７０が形成される位置と結合バー３５０が形成される位置は対称な位置関係にある。結合バー３５０及び支持バー３７０によって表示モジュールの内部に構成要素が支持され固定される。
【００７８】
側面締結部５１０は、上部フレーム１００、下部フレーム４００、及び結合バー３５０を固定できる。また、側面締結部５１０は、光源３８０の基板部３８１まで延びて光源３８０を固定できる。側面締結部５１０は、スクリューなどを利用してもよく、必要な場合、多様な固定手段を利用して固定してもよい。また、側面締結部５１０は、結合バー３５０だけでなく、支持バー３７０並びに上部フレーム１００及び下部フレーム４００を固定する手段として使われてもよい。
【００７９】
図９は、本発明の他の実施形態に係る表示装置を示す断面図であり、図１０は、図９の表示装置のバックライトモジュールの一部を示す断面図である。
【００８０】
図９及び図１０を参照すると、本実施形態に係る表示装置は、結合バー３５０の光学部材支持部３５９、パネル支持部材６００、光学部材２１０、支持バー３７０を除いて図１の表示装置と実質的に同一であるので、重複する説明は簡略または省略する。
【００８１】
結合バー３５０は、上部プレート３５１、延長プレート３５３、下部プレート３５４、及び光学部材支持部３５９を含む。
【００８２】
光学部材支持部３５９は、上部プレート３５１から延びて上部プレート３５１と段差を形成してもよい。光学部材支持部３５９上に光学部材２１０の端部が位置して、光学部材支持部３５９は光学部材２１０を支持してもよい。
【００８３】
光学部材支持部３５９は、上部プレート３５１から延びる。光学部材支持部３５９の上面は、上部プレート３５１の上面より低くてもよい。即ち、上部プレート３５１と光学部材支持部３５９との間に段差部が形成されてもよい。光学部材２１０の端部が光学部材支持部３５９上に配置されて、光学部材支持部３５９が光学部材２１０を支持してもよい。
【００８４】
光学部材２１０は、表示パネル２００と導光板３６０との間に配置される。光学部材２１０は、導光板３６０から出射された光の輝度を均一にする。光学部材２１０は、１つ以上の光学シートを含んでもよい。例えば光学部材２１０は、保護シート、プリズムシート及び拡散シートを含んでもよい。一方、光学部材２１０はこれに限定されないで、多様な光学シートを含んでもよい。
【００８５】
パネル支持部材６００は、上部プレート３５１上に配置される。パネル支持部材６００は、表示パネル２００の端部及び上部プレート３５１との間に配置されて表示パネル２００を支持する。パネル支持部材６００は弾性材質を含み、表示パネル２００に加わる衝撃を緩和させることができる。例えば、パネル支持部材６００はゴムを含んでもよい。または、パネル支持部材６００は表示パネル２００と結合バー３５０とを固定させる両面テープであってもよい。
【００８６】
一方、本実施形態において、表示装置はパネル支持部材６００を含むが、上部プレート３５１の上部に表示パネル２００が直接配置されてもよい。
【００８７】
バックライトモジュール３００は、結合バー３５０以外に支持バー３７０をさらに含んでもよい。支持バー３７０が形成される位置と結合バー３５０が形成される位置は対称な位置関係にある。また、支持バー３７０と表示パネル２００との間にパネル支持部材６００が配置されてもよい。また、支持バー３７０は、結合バー３５０と同様に光学部材２１０を支持してもよい。即ち、結合バー３５０及び支持バー３７０によって表示モジュールの内部に構成要素が支持され固定される。
【００８８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００８９】
以上、説明したように、本発明の実施形態によると、表示装置の薄型化のために導光板を薄く形成しても導光板を固定する結合バーが一体で形成されていて、光源によって発生される熱が導光板を変形する場合であっても導光板の変形を防止できるようになる。
【００９０】
また、結合バー１つで表示装置の色々な構成要素を支持且つ固定できて工程を単純化し、製作費用を減少できる。
【００９１】
また、結合バーが押出成形によって形成されるので、結合バーの各構成の部分の厚さを異にして製作する場合にも容易に結合バー製作できるようになる。
【符号の説明】
【００９２】
１００    上部フレーム
２００    表示モジュール
３００    バックライトモジュール
４００    下部フレーム
３５０    結合バー
３６０    導光板
３８０    光源
３５１    上部プレート
３５３    延長プレート
３５４    下部プレート 
【図１】
2014134761.tif 000003
【図２】
2014134761.tif 000004
【図３】
2014134761.tif 000005
【図４】
2014134761.tif 000006
【図５】
2014134761.tif 000007
【図６】
2014134761.tif 000008
【図７】
2014134761.tif 000009
【図８】
2014134761.tif 000010
【図９】
2014134761.tif 000011
【図１０】
2014134761.tif 000012